(57)【特許請求の範囲】
【請求項１】
光源からの出射光を光記録媒体に収束させる対物レンズを保持するレンズホルダと、該レンズホルダをフォーカシング方向またはトラッキング方向に移動可能に保持するホルダ支持部材と、前記ホルダ支持部材に取り付けられた駆動マグネットと前記レンズホルダに取り付けられた駆動コイルとの間に発生する磁力により当該レンズホルダをフォーカシング方向またはトラッキング方向に駆動する磁気駆動回路とを有する光ヘッド装置において、
前記ホルダ支持部材は、前記レンズホルダの下端面に対向する底板部と、該底板部から直立する第１の磁石取付け部とを備え、
前記駆動マグネットは、側端面が前記第１の磁石取付け部に接着固定されているとともに、下端面が直接あるいはスペーサを介して前記底板部に接着固定されており、
前記レンズホルダは、前記底板部を貫通するように下方に突出した下方延設部を備えるコイル取付け部を有し、
前記底板部には、前記下方延設部が位置する開口が少なくとも前記駆動マグネットの下方位置まで到達するように形成され、
前記駆動マグネットは、当該開口を跨いで前記底板部に対して接着固定されていることを特徴とする光ヘッド装置。
【請求項２】
請求項１において、
前記底板部からは前記第１の磁石取付け部に対峙するように第２の磁石取付け部が切り起され、
前記第２の磁石取付け部の切り起しによって前記開口が形成されていることを特徴とする光ヘッド装置。
【請求項３】
請求項１または２のいずれかにおいて、
前記第１の磁石取付け部は、平板材料において前記底板部に連接する部分を折り曲げ加工した部分であることを特徴とする光ヘッド装置。
【発明の詳細な説明】
【０００１】
【発明の属する技術分野】
本発明は、ＣＤ（コンパクトディスク）やＤＶＤ（デジタルバーサタイルディスク）など光記録媒体の再生等に用いられる光ヘッド装置に関するものである。さらに詳しくは、光ヘッド装置において、レンズホルダを保持するホルダ支持部材の構造に関するものである。
【０００２】
【従来の技術】
ＣＤやＤＶＤなどの光記録ディスクの再生に用いられる光ヘッド装置では、対物レンズを保持したレンズホルダをトラッキング方向およびフォーカシング方向に駆動して光記録ディスクから信号の再生を行なう。このような光ヘッド装置としては、例えば、レンズホルダに形成した軸受け部材に嵌められた支軸によってレンズホルダを支持した構造のものが知られている。
【０００３】
このような光ヘッド装置は、いわゆる軸摺動回動型と称せられ、例えば、図１に示すように、対物レンズ４１と、この対物レンズ４１を保持するレンズホルダ４２と、このレンズホルダ４２をフォーカシング方向およびトラッキング方向に移動可能な状態に支持する支軸５０と、この支軸５０が直立するホルダ支持部材５７と、レンズホルダ４２をフォーカシング方向およびトラッキング方向に駆動する磁気駆動回路とを有している。
【０００４】
磁気駆動回路は、レンズホルダ４２の外周部に固着されたトラッキング用駆動コイル４５、４６、およびレンズホルダの軸受け部材４４の周囲に巻回されたフォーカシング用駆動コイル４７（図１には図示していないので、図７を参照）と、ホルダ支持部材５７の第１の磁石取付け部５１、５３に固着されたトラッキング用駆動マグネット５９、６０と、ホルダ支持部材５７において磁石取付け部５１、５３に対して内側で対峙する第２の磁石取付け部５５、５６に固着されたフォーカシング用駆動マグネット６１、６２とを備えている。
【０００５】
ここで、図７に示すように、ホルダ支持部材５７は、底板部４９に対して各部分を直角に折り曲げて第１の磁石取付け部５１、５３、および第２の磁石取付け部５５、５６を直立させたものであり、これらの磁石取付け部５１、５３、５５、５６に対して、トラッキング用駆動マグネット５９、６０の側端面５９１、６０１、およびフォーカシング用駆動マグネット６１、６２の側端面６１１、６２１が接着固定されている。この状態で、トラッキング用駆動マグネット５９、６０の下端面５９２、６０２、およびフォーカシング用駆動マグネット６１、６２の下端面６１２、６２２は、底板部４９から浮いた状態にある。
【０００６】
このように構成した光ヘッド装置１では、トラッキング用駆動コイル４５、４６とトラッキング用駆動マグネット５９、６０との間に作用する磁力を利用してレンズホルダ４２を支軸５０周りに回転させて対物レンズ４１をトラッキング方向に駆動する。また、フォーカシング用駆動コイル４７とマグネット６１、６２との間に作用する磁力を利用してレンズホルダ４２を支軸５０の軸線方向に移動させて対物レンズ４１をフォーカシング方向に駆動する。
【０００７】
【発明が解決しようとする課題】
しかしながら、従来の光ヘッド装置１において、第１の磁石取付け部５１、５３が底板部４９から直立した状態にあって、上端側が固定されていない片持ち状態にあるため、トラッキング用駆動コイル４５、４６に通電すると、トラッキング用駆動コイル４５、４６とトラッキング用駆動マグネット５９、６０との間に発生する磁気的な吸引力あるいは反発力によって第１の磁石取付け部５１、５３が振動してしまうという問題点がある。このような振動が起こると、レンズホルダを正確に駆動することできず、位相乱れなどが発生する。
【０００８】
すなわち、トラッキング用駆動コイル４５、４６に通電したとき、トラッキング用駆動マグネット５９、６０には、矢印Ａで示す方向の吸引力が作用するため、第１の磁石取付け部５１、５３は、矢印Ａで示す方向に傾き、この状態から、駆動コイル４５、４６への通電を停止したとき、第１の磁石取付け部５１、５３は、矢印Ｂで示す方向に戻ろうとする。このような振動が発生すると、第１の磁石取付け部５１、５３が矢印Ａで示す方向に傾くと、底板部４９は、矢印Ｃで示すように下方に撓んで支軸５０が下がる一方、第１の磁石取付け部５１、５３が矢印Ｂで示す方向に傾くと、底板部４９は、矢印Ｄで示すように上方に撓んで支軸５０が浮き上がるため、支軸５０の上下動に伴なってレンズホルダ４２も上下動し、正確に駆動することできなくなるのである。
【０００９】
このような問題は、フォーカシング用駆動コイル４７に通電したとき第２の磁石取付け部５５、５６が振動することによっても発生する。
【００１０】
以上の問題に鑑みて、本発明の課題は、ホルダ支持部材の底板部から直立した磁石取付け部が振動するのを防止することにより、レンズホルダを正確に駆動することのできる光ヘッド装置を提供することにある。
【００１１】
【課題を解決するための手段】
上記課題を解決するため、本発明では、光源からの出射光を光記録媒体に収束させる対物レンズを保持するレンズホルダと、該レンズホルダをフォーカシング方向またはトラッキング方向に移動可能に保持するホルダ支持部材と、前記ホルダ支持部材に取り付けられた駆動マグネットと前記レンズホルダに取り付けられた駆動コイルとの間に発生する磁力により当該レンズホルダをフォーカシング方向またはトラッキング方向に駆動する磁気駆動回路とを有する光ヘッド装置において、前記ホルダ支持部材は、前記レンズホルダの下端面に対向する底板部と、該底板部から直立する第１の磁石取付け部とを備え、前記駆動マグネットは、側端面が前記第１の磁石取付け部に接着固定されているとともに、下端面が直接あるいはスペーサを介して前記底板部に接着固定されていることを特徴とする。
【００１２】
本発明では、駆動マグネットの側端面が第１の磁石取付け部に接着固定されているとともに、下端面が直接、あるいはスペーサを介して底板部に接着固定されているため、第１の磁石取付け部は、駆動マグネットによって補強された状態にある。従って、第１の磁石取付け部に固定された駆動マグネットに磁気的な吸引力あるいは反発力が加わっても、第１の磁石取付け部が振動することはない。従って、第１の磁石取付け部が振動することに起因して底板部が撓んでレンズホルダを正確に駆動できなくなることを確実に回避することができる。
【００１３】
本発明において、前記レンズホルダは、前記底板部を貫通するように下方に突出した下方延設部を備えたコイル取付け部を有し、前記底板部には、前記下方延設部が位置する開口が少なくとも前記駆動マグネットの下方位置まで到達するように形成されており、前記駆動マグネットは、当該開口を跨いで前記底板部に対して接着固定されている。このように構成すると、駆動マグネットの下方位置（第１の磁石取付け部の根元付近）にまで開口が形成されていても、この部分では、駆動マグネットの２つの端面が第１の磁石取付け部および底板部の双方に接着固定されているので、駆動マグネットがこの部分の強度を補ってくれる。それ故、第１の磁石取付け部の振動を防止することができる。
【００１４】
本発明において、前記底板部からは前記第１の磁石取付け部に対峙するように第２の磁石取付け部が切り起され、前記第２の磁石取付け部の切り起しによって前記開口部が形成されている構成を採用することができる。
【００１５】
本発明において、前記第１の磁石取付け部は、平板材料に対して前記底板部に連接する部分を折り曲げ加工した部分である。このように構成すると、第１の磁石取付け部を容易に形成することができる。
【００１６】
【発明の実施の形態】
図面を参照して、本発明の実施の形態を説明する。以下に説明する光ヘッド装置は、基本的な構成が従来の構成と共通するので、共通する部分には同じ符号を付してある。また、各実施の形態の説明に先立って、各実施の形態で共通する構成を説明しておく。
【００１７】
（全体構成）
図１は、本発明が適用される光ヘッド装置の分解斜視図である。
【００１８】
図１に示すように、光ヘッド装置１は、ＣＤあるいはＤＶＤなどの光記録ディスク５（光記録媒体）に対する情報記録、情報再生を行うものであり、アルミニウムなどの金属からなるフレーム２上に、光源ユニット３からの出射光Ｌを光記録ディスク５に収束させる対物レンズ４１をフォーカシング方向に移動可能およびトラッキング方向に回転可能に支持した軸摺動・回動型のアクチュエータ４が構成されている。フレーム２の両端部には、丸穴からなるガイド穴２１と、コの字形状に突き出したガイド部２２とが形成され、これらのガイド穴２１およびガイド部２２の各々に通されたガイド軸（図示せず）に沿って、光ヘッド装置１は、光記録ディスク５の半径方向に移動することができる。また、フレーム２には、光源ユニット３や各種の光学素子を配置する光学素子取付け部２３やアクチュエータ４を搭載するためのアクチュエータ取付け部２４などが形成されている。
【００１９】
アクチュエータ４は、対物レンズ４１を保持するレンズホルダ４２と、ホルダ支持部材５７とから構成されている。このホルダ支持部材５７は、レンズホルダ４２に形成されている軸受け部材４４に嵌まる支軸５０を備えており、レンズホルダ４２をトラッキング方向およびフォーカシング方向に移動可能に支持している。
【００２０】
ホルダ支持部材５７は、略長方形の底板部４９と、底板部４９の四辺から垂直に直立した一対の第１の磁石取付け部５１、５３、前壁５２、後壁５４を備えている。これらのうち、互いに平行に延びる第１の磁石取付け部５１、５３の内周面には、周方向に分極着磁されたトラッキング用駆動マグネット５９、６０がそれぞれに接着固定されている。
【００２１】
底壁４９からは、トラッキング用駆動マグネット５９、６０が取り付けられた第１の磁石取付け部５１、５３に対して内側で平行に直立する一対の第２の磁石取付け部５５、５６が形成されている。第２の磁石取付け部５５、５６の内周面には、単極に着磁された面を内側に向けるフォーカシング用駆動マグネット６１、６２がそれぞれ接着固定されている。
【００２２】
第１の磁石取付け部５１、５３のうち、一方の第１の磁石取付け部５３の端部には、上縁から外側に向けて水平に折れ曲がってビス孔６８を備えた鍔部６７が形成され、また、後壁５４にも上縁から外側に向けて水平に折れ曲がってビス孔７０を備えた鍔部６９が形成されている。ホルダ支持部材５７をフレーム２のアクチェータ取付け部２４に配置したときは、これらの鍔部６７、６９とフレーム２の間にコイルばね１３、１４を圧縮した状態で挟んで、フレームの孔３１、３２からねじ１５、１６を通してビス孔６８、７０に止める。このねじ１５、１６の締め付け量を調整することにより、ホルダ支持部材５７のフレーム２に対する傾角調整を行なうことができる。
【００２３】
また、一対の第２の磁石取付け部５５、５６によって挟まれた底板部４９の中央部には、支軸５０が直立した状態に固定されている。
【００２４】
レンズホルダ４２は、円筒状の軸受け部４４と、この軸受け部４４の回りを囲む側面部４３とを備えている。軸受け部４４と側面部４３との間には、この軸受け部４４を挟む両側位置に一対の開口５８が形成されている。さらに、レンズホルダ４２の上面側には、外側に向けて薄く張り出すレンズ取付け部４８が形成され、この上に対物レンズ４１が接着固定されている。
【００２５】
このレンズホルダ４２において、軸受け部４４の内側には、ホルダ支持部材５７の底板部４９から直立した支軸５０が差し込まれている。従って、レンズホルダ４２は、支軸５０に沿ってその軸線方向（矢印Ｆで示す上下方向／フォーカシング方向）に移動可能、かつ、支軸５０の周方向（矢印Ｔで示す方向/トラッキング方向）に回転可能な状態で支持されている。
【００２６】
また、レンズホルダ４２の一対の開口５８の内側には、ホルダ支持部材５７の底板部４９から直立した一対の第２の磁石取付け部５５、５６がそれぞれに差し込まれている。従って、レンズホルダ４２の軸受け部４４は、一対の第２の磁石取付け部５５、５６に取り付けられたフォーカシング用駆動マグネット６１、６２の間に配置されている。レンズホルダ４の軸受け部４４には、フォーカシング用駆動コイル４７（図１では図示せず、図２参照）が巻回されている。このフォーカシング用駆動コイル４７とフォーカシング用駆動マグネット６１、６２とによって、レンズホルダ４２を支軸５０に沿って上下方向（フォーカシング方向）に移動させるフォーカシング磁気駆動回路が構成されている。
【００２７】
また、レンズホルダ４２の外周側面４３の外周面には、トラッキング用駆動マグネット５９、６０と対峙するように一対のトラッキング用駆動コイル４５、４６が取り付けられている。これらのトラッキング用駆動コイル４５、４６とトラッキング用駆動マグネット５９、６０とによって、レンズホルダ４２を支軸５０の周り（トラッキング方向）に回転させるトラッキング磁気駆動回路が構成されている。
【００２８】
［参考例１］
図２は、本発明の実施の形態を説明するための参考例１に係る光ヘッド装置に用いたホルダ支持部材５７およびレンズホルダ４２を、図１のＩ−Ｉ′線に相当する位置で切断したときの様子を模式的に示す断面図である。
【００２９】
図２に示すように、本形態の光ヘッド装置１において、ホルダ支持部材５７では、平板材料を折り曲げ加工することによって、底板部４９からは一対の第１の磁石取付け部５１、５３が直立しているとともに、その内側では一対の第２の磁石取付け部５５、５６が直立している。
【００３０】
このように構成したホルダ支持部材５７に対して、本形態では、トラッキング用駆動マグネット５９、６０は、外周側に位置する側端面５９１、６０１が第１の磁石取付け部５１、５３の内周面に接着固定されているとともに、下端面５９２、６０２が底板部４９に接着固定されている。
【００３１】
同様に、フォーカシング用駆動マグネット６１、６２は、外周側に位置する側端面６１１、６２１が第２の磁石取付け部５５、５６の内周面に接着固定されているとともに、下端面６１２、６２２が底板部４９に接着固定されている。
【００３２】
このように、本形態の光ヘッド装置１では、トラッキング用駆動マグネット５９、６０は、側端面５９１、６０１および下端面５９２、６０２がそれぞれ第１の磁石取付け部５１、５３および底板部４９に接着固定されている。このため、第１の磁石取付け部５１、５３は、底板部４９から片持ち状態で直立しているにもかかわらず、トラッキング用駆動マグネット５９、６０によって補強されているので、かなりの剛性を有する。従って、トラッキング用駆動コイル４５、４６に対して通電および通電停止を繰り返したとき、トラッキング用駆動マグネット５９、６０に磁力がかかった状態、およびこの状態が解除された状態に切り換わっても、第１の磁石取付け部５１、５３は振動しない。従って、第１の磁石取付け部５１、５３の振動に起因する底板部４９の上下動が発生しないので、支軸５０は上下動しない。
【００３３】
また、フォーカシング用駆動マグネット６１、６２は、側端面６１１、６２１および下端面６１２、６２２がそれぞれ第２の磁石取付け部５５、５６および底板部４９に接着固定されている。このため、第２の磁石取付け部５５、５６も、底板部４９から片持ち状態で直立しているにもかかわらず、フォーカシング用駆動マグネット６１、６２によって補強されているので、かなりの剛性を有する。従って、フォーカシング用駆動コイル４７に対して通電および通電停止を繰り返したとき、フォーカング用駆動マグネット６１、６２に磁力がかかった状態、およびこの状態が解除された状態に切り換わっても、第２の磁石取付け部５５、５６は振動しない。従って、第２の磁石取付け部５５、５６の振動に起因する底板部４９の上下動が発生しないので、支軸５０は上下動しない。それ故、レンズホルダ４２を正確に駆動することができるので、位相ずれなどの不具合が発生しない。
【００３４】
［参考例２］
図３は、本発明の実施の形態を説明するための参考例２に係る光ヘッド装置に用いたホルダ支持部材５７およびレンズホルダを４２、図１のＩ−Ｉ′線に相当する位置で切断したときの様子を模式的に示す断面図である。
【００３５】
図３に示すように、本形態の光ヘッド装置１においても、ホルダ支持部材５７では、平板材料を折り曲げ加工することによって底板部４９から一対の第１の磁石取付け部５１、５３が直立しているとともに、その内側では一対の第２の磁石取付け部５５、５６が直立している。
【００３６】
このように構成したホルダ支持部材５７に対して、本形態では、第１の磁石取付け部５１、５３の内側の根元付近には、スペーサ７０が配置され、このスペーサ７０は、側端面７０１が第１の磁石取付け部５１、５３の根元付近に接着固定され、下端面７０２は底板部４９に接着固定されている。
【００３７】
また、トラッキング用駆動マグネット５９、６０は、外周側に位置する側端面５９１、６０１が第１の磁石取付け部５１、５３の内周面に接着固定され、かつ、下端面５９２、６０２がスペーサ７０の上端面７０３に接着固定されている。
【００３８】
また、第２の磁石取付け部５５、５６の内側の根元付近には、スペーサ７１が配置され、このスペーサ７１は、側端面７１１が第２の磁石取付け部５５、５６の根元付近に接着固定され、下端面７１２は底板部４９に接着固定されている。
【００３９】
また、フォーカシング用駆動マグネット６１、６２は、外周側に位置する側端面６１１、６２１が第２の磁石取付け部５５、５６の内周面に接着固定され、かつ、下端面６１２、６２２がスペーサ７１の上端面７１３に接着固定されている。
【００４０】
このように構成した光ヘッド装置１でも、トラッキング用駆動マグネット５９、６０は、側端面５９１、６０１がそれぞれ第１の磁石取付け部５１、５３に接着固定され、下端面５９２、６０２がそれぞれスペーサ７０を介して底板部４９に接着固定されている。また、フォーカシング用駆動マグネット６１、６２は、側端面６１１、６２１がそれぞれ第２の磁石取付け部５５、５６に接着固定され、下端面６１２、６２２がそれぞれスペーサ７１を介して底板部４９に接着固定されている。このため、第１の磁石取付け部５１、５３および第２の磁石取付け部５５、５６は、底板部４９から片持ち状態で直立しているにもかかわらず、スペーサ７０、７１、トラッキング用駆動マグネット５９、６０およびフォーカシング用駆動マグネット６１、６２によって補強されているので、かなりの剛性を有する。従って、トラッキング用駆動コイル４５、４６およびフォーカシング用駆動コイル４７に対して通電および通電停止を繰り返したときでも、第１の磁石取付け部５１、５３および第２の磁石取付け部５５、５６は振動しない。従って、第１の磁石取付け部５１、５３および第２の磁石取付け部５５、５６の振動に起因する底板部４９の上下動が発生しないので、支軸５０は上下動しない。それ故、レンズホルダ４２を正確に駆動することができるので、位相ずれなどの不具合が発生しない。
【００４１】
［実施の形態］
図４（Ａ）は、本発明の実施の形態に係る光ヘッド装置に用いたホルダ支持部材５７の外周部分の一部を拡大して示す斜視図、図４（Ｂ）は、この光ヘッド装置に用いたホルダ支持部材５７およびレンズホルダ４２を図１のＩ−Ｉ′線に相当する位置で切断したときの様子を模式的に示す断面図である。図５（Ａ）、（Ｂ）はそれぞれ、本形態の光ヘッド装置に用いたホルダ支持部材５７を形成するための平板材料の平面図、およびこのホルダ支持部材の磁石取付け部付近を拡大して示す斜視図である。図６（Ａ）、（Ｂ）はそれぞれ、本形態の光ヘッド装置に用いたホルダ支持部材５７を平板材料から折り曲げ形成した状態を示す平面図、およびこのホルダ支持部材の磁石取付け部付近を拡大して示す斜視図である。
【００４２】
図４（Ａ）、（Ｂ）に示すように、本形態の光ヘッド装置１に用いたレンズホルダ４２では、このレンズホルダ４２の側面部４３に、下方に突出してホルダ支持部材５７の底板部４９を貫通する下方延設部４３６を備えるコイル取付け部４３０が形成され、このコイル取付け部４３０に対して、トラッキング用駆動コイル４５、４６が固着されている。従って、ホルダ支持部材５７の底板部４９には、レンズホルダ４２がトラッキング方向およびフォーカシング方向に移動したときでも、下方延設部４３６が底板部４９と干渉するのを防ぐための開口４９０が形成されている。従って、レンズホルダ４２を薄型化しても、トラッキング用駆動コイル４５、４６を小型化しなくてよい。
【００４３】
このようなホルダ支持部材５７は、図５（Ａ）、（Ｂ）に示す金属製の平板材料を折り曲げ加工することにより容易に形成できる。
【００４４】
図５（Ａ）、（Ｂ）において、平板材料５７０には、底板部４９を構成する部分の周りに、第１の磁石取付け部５１、５３、前壁５２および後壁５４を構成する部分が連接しており、底板部４９の周りを、図６（Ａ）、（Ｂ）に示すように折り曲げ加工するだけで、第１の磁石取付け部５１、５３、前壁５２および後壁５４が形成される。
【００４５】
また、図５（Ａ）、（Ｂ）に示すように、平板材料５７０には、第２の磁石取付け部５５、５６を切り起すための溝などが形成されており、図６（Ａ）、（Ｂ）に示すように、第２の磁石取付け部５５、５６を切り起したとき、それによって空いた部分が、下方延設部４３６が底板部４９と干渉するのを防ぐための開口４９０（図４を参照）となる。
【００４６】
ここで、開口４９０は、トラッキング用駆動マグネット５９、６０が配置される部分、および第１の磁石取付け部５１、５３が底板４９から直立する部分を通って、第１の磁石取付け部５１、５３として起立する部分まで届いている。
【００４７】
このような構成のホルダ支持部材５７に対しても、本形態では、トラッキング用駆動マグネット５９、６０は、外周側に位置する側端面５９１、６０１が第１の磁石取付け部５１、５３の内周面に接着固定されている。また、トラッキング用駆動マグネット５９、６０は開口４９０を跨いで、下端面５９２、６０２の両端部分が底板部４９に接着固定されている。
【００４８】
なお、フォーカシング用駆動マグネット６１、６２は、参考例１、２と同様、外周側に位置する側端面６１１、６２１が第２の磁石取付け部５５、５６の内周面に接着固定されているとともに、下端面６１２、６２２が底板部４９に接着固定されている。
【００４９】
このように、本形態の光ヘッド装置１でも、トラッキング用駆動マグネット５９、６０は、側端面５９１、６０１がそれぞれ第１の磁石取付け部５１、５３に接着固定され、下端面５９２、６０２は、開口４９０を跨いで両端部分が底板部４９に接着固定されている。このため、第１の磁石取付け部５１、５３は、底板部４９から片持ち状態で直立し、かつ、その折り曲げ部分付近まで開口４９０が延びている場合でも、第１の磁石取付け部５１、５３は、トラッキング用駆動マグネット５９、６０によって補強された状態にある。従って、トラッキング用駆動コイル４５、４６に対して通電および通電停止を繰り返したときでも、第１の磁石取付け部５１、５３は振動しない。また、第２の磁石取付け部５５、５６も、フォーカシング用駆動マグネット６１、６２によって補強された状態にあるため、フォーカシング用駆動コイル４７に対して通電および通電停止を繰り返したときでも、第２の磁石取付け部５５、５６は振動しない。従って、第１の磁石取付け部５１、５３および第２の磁石取付け部５５、５６の振動に起因する底板部４９の上下動が発生しないので、支軸５０は上下動しない。それ故、レンズホルダ４２を正確に駆動することができるので、位相ずれなどの不具合が発生しない。
【００５０】
【発明の効果】
以上説明したように、本発明の光ヘッド装置では、駆動マグネットの側端面が第１の磁石取付け部に接着固定されているとともに、下端面が直接、あるいはスペーサを介して底板部に接着固定されているため、第１の磁石取付け部は、駆動マグネットによって補強された状態にある。従って、第１の磁石取付け部に固定された駆動マグネットに磁気的な吸引力あるいは反発力が加わっても、第１の磁石取付け部が振動することはない。従って、第１の磁石取付け部が振動することに起因して底板部が撓んでレンズホルダを正確に駆動できなくなることを確実に回避することができる。
【図面の簡単な説明】
【図１】  本発明が適用される光ヘッド装置の分解斜視図である。
【図２】  本発明の参考例１に係る光ヘッド装置に用いたホルダ支持部材およびレンズホルダを、図１のＩ−Ｉ′線に相当する位置で切断したときの様子を模式的に示す断面図である。
【図３】  本発明の参考例２に係る光ヘッド装置に用いたホルダ支持部材およびレンズホルダを、図１のＩ−Ｉ′線に相当する位置で切断したときの様子を模式的に示す断面図である。
【図４】  （Ａ）は、本発明の実施の形態に係る光ヘッド装置に用いたホルダ支持部材５７の外周部分の一部を拡大して示す斜視図、（Ｂ）は、この光ヘッド装置に用いたホルダ支持部材およびレンズホルダを図１のＩ−Ｉ′線に相当する位置で切断したときの様子を模式的に示す断面図である。
【図５】  （Ａ）、（Ｂ）はそれぞれ、図４に示す光ヘッド装置に用いたホルダ支持部材を形成するための平板材料の平面図、およびこのホルダ支持部材の磁石取付け部付近を拡大して示す斜視図である。
【図６】  （Ａ）、（Ｂ）はそれぞれ、図４に示す光ヘッド装置に用いたホルダ支持部材を平板材料から折り曲げ形成した状態を示す平面図、およびこのホルダ支持部材の磁石取付け部付近を拡大して示す斜視図である。
【図７】  従来の光ヘッド装置に用いたホルダ支持部材およびレンズホルダを、図１のＩ−Ｉ′線に相当する位置で切断したときの様子を模式的に示す断面図である。
【符号の説明】
１  光ヘッド装置
２  フレーム
３  光源ユニット
４  アクチュエータ
５  光記録ディスク
４１  対物レンズ
４２  レンズホルダ
４３  側面部
４４  軸受け部材
４５、４６  トラッキング用駆動コイル
４７  フォーカシング用駆動コイル
４９  底板部
５１、５３  第１の磁石取付け部
５５、５６  第２の磁石取付け部
５７  ホルダ支持部材
５９、６０  トラッキング用駆動マグネット
６１、６２  フォーカシング用駆動マグネット
７０、７１  スペーサ
５９１、６０１  トラッキング用駆動マグネットの側端面
５９２、６０２  トラッキング用駆動マグネットの下端面
６１１、６２１  フォーカシング用駆動マグネットの側端面
６１２、６２２  フォーカシング用駆動マグネットの下端面
【図１】
0003872633.tif 000002
【図２】
0003872633.tif 000003
【図３】
0003872633.tif 000004
【図４】
0003872633.tif 000005
【図５】
0003872633.tif 000006
【図６】
0003872633.tif 000007
【図７】
0003872633.tif 000008